(57)【要約】【課題】高いセキュリティを維持して遠隔操作を行うことができる携帯端末を提供する。【解決手段】本発明における携帯端末は、正当な通信相手である他の通信端末を認証するための認証データを記憶する記憶部と、画像データが添付された電子メールの受信を行うメール受信部と、受信した画像データと、記憶部が記憶する認証データとの照合を行う画像照合部と、画像データが認証データと一致した場合に、電子メールが備える情報に基づいて動作コマンドを実行する制御部とを備え、制御部は、必要に応じて認証データを変更することを特徴とする。【選択図】      図１
2012191470.tif 000002
【特許請求の範囲】
【請求項１】
正当な通信相手である他の通信端末を認証するための認証データを記憶する記憶部と、
画像データが添付された電子メールの受信を行うメール受信部と、
受信した前記画像データと、前記記憶部が記憶する前記認証データとの照合を行う画像照合部と、
前記画像データが前記認証データと一致した場合に、前記電子メールが備える情報に基づいて動作コマンドを実行する制御部とを備え、
前記制御部は、必要に応じて前記認証データを変更することを特徴とする携帯端末。
【請求項２】
前記制御部は、前記電子メールの本文に記載された情報に基づいて、動作コマンドを実行することを特徴とする請求項１に記載の携帯端末。
【請求項３】
前記画像データと対応する動作コマンドを前記記憶部から照合する動作照合部を備え、
前記記憶部は、前記画像データに対応する動作コマンドを記憶しており、
前記制御部は、前記動作照合部が照合した前記動作コマンドを実行することを特徴とする請求項1乃至２に記載の携帯端末。
【請求項４】
前記記憶部は、前記認証データと対応する第１の画像データと、前記動作コマンドと対応し前記第１の画像データとは異なる第２の画像データを記憶しており、
受信した複数の画像データが前記第１、第２の画像データと一致した場合、
前記動作照合部は、前記第２の画像データに対応する動作コマンドを前記記憶部から照合し、
前記制御部は、前記動作照合部が照合した前記動作コマンドを実行することを特徴とする請求項３に記載の携帯端末。
【請求項５】
前記記憶部は、前記認証データと対応する複数の画像データ、及び前記画像データの枚数に対応する前記動作コマンドを記憶しており、
受信した画像データが前記画像データと一致した場合、
前記動作照合部は、受信した前記画像データの枚数に基づいて対応する動作コマンドを前記記憶部から照合し、
前記制御部は、前記動作照合部が照合した前記動作コマンドを実行することを特徴とする請求項３に記載の携帯端末。
【請求項６】
前記記憶部は、前記認証データと対応する第１の画像データを記憶し、
受信した複数の画像データの一つが前記第１画像データと一致した場合、前記電子メールが備える情報に基づいて、前記複数の画像データの残りの画像データを前記第１の画像データに代えて認証データとすることを特徴とする請求項１乃至５に記載の携帯端末。
【請求項７】
前記メール受信部は、前記電子メールの題名に遠隔操作用タイトルが記載されているか照合を行い、
前記電子メールの題名に前記遠隔操作用タイトルが記載されている場合に、前記画像照合部が前記画像データと前記認証データとの照合を行うことを特徴とする請求項1乃至６に記載の携帯端末。
【請求項８】
前記制御部は、前記動作コマンドの実行が完了すると、実行した前記動作コマンドを前記記憶部に保存することを特徴とする請求項１乃至７に記載の携帯端末。
【請求項９】
前記制御部は、前記動作コマンドの実行が完了すると、前記動作コマンドが完了したことを電子メールにて、遠隔操作を行った携帯端末に送信することを特徴とする請求項1乃至８に記載の携帯端末。
【請求項１０】
正当な通信相手である他の通信端末を認証するための認証データを記憶し、
画像データが添付された電子メールの受信すると
受信した前記画像データと、前記記憶部が記憶する前記認証データとの照合を行い、
前記画像データが前記認証データと一致した場合に、前記電子メールが備える情報に基づいて動作コマンドを実行し、
必要に応じて認証データを変更することを特徴とする携帯端末の操作方法。
【発明の詳細な説明】
【技術分野】
【０００１】
本発明は、携帯端末に対し、他の端末から操作される携帯端末、および携帯端末の操作方法に関する。
【背景技術】
【０００２】
近年、携帯電話機の高機能化・普及に伴い、携帯電話が紛失・盗難にあった場合のリスクが非常に大きくなっており、紛失・盗難時の対応方法を考える必要がある。そこで遠隔操作が可能な携帯端末の需要が高まってきている。
【０００３】
特許文献１には、操作端末が被操作端末に対して遠隔操作の指示を行う際、認証情報としてIDコードを利用している。被操作端末がメールを受信すると自己が記憶しているIDコードと認証情報とを比較し、一致すると認証成功となり、受信したメール内容に基づいて操作を行う。
【０００４】
特許文献２には、認証方法としてメールに添付された写真と被操作端末に保存されている写真を比較した顔認証方式が用いられている。被操作端末に自分の顔認証情報を登録しておき、自分の顔写真を添付してメールを送信することで遠隔操作の認証を行う。
【先行技術文献】
【特許文献】
【０００５】
【特許文献１】特開２００１−００８２７０
【特許文献２】特開２００６−３２４８００
【発明の概要】
【発明が解決しようとする課題】
【０００６】
特許文献１に記載の遠隔操作は、ＩＤコードをメールに記載するため、総当り法などによって、推測される可能性があり、セキュリティ面で問題があった。また特許文献２に記載の遠隔操作についても、写真データが漏洩した場合、本人の顔認証情報を変更することは難しいため、同様にセキュリティ面で問題があった。
【０００７】
本発明の目的は、上記課題を解決する携帯端末、および携帯端末の操作方法を提供することである。
【課題を解決するための手段】
【０００８】
本発明における携帯端末は、正当な通信相手である他の通信端末を認証するための認証データを記憶する記憶部と、画像データが添付された電子メールの受信を行うメール受信部と、受信した画像データと、記憶部が記憶する認証データとの照合を行う画像照合部と、画像データが認証データと一致した場合に、電子メールが備える情報に基づいて動作コマンドを実行する制御部とを備え、制御部は、必要に応じて認証データを変更することを特徴とする。
【発明の効果】
【０００９】
本発明における携帯端末は、高いセキュリティを維持して操作を行うことができる。
【図面の簡単な説明】
【００１０】
【図１】第１の実施形態における携帯端末のブロック図である。
【図２】第１の実施形態における遠隔操作のシーケンス図である。
【図３】第１の実施形態における遠隔操作のシーケンス図である。
【図４】第１の実施形態における遠隔操作を行うフローチャートである。
【図５】第２の実施形態における携帯端末のブロック図である。
【図６】第２の実施形態における遠隔操作のシーケンス図である。
【図７】第２の実施形態における遠隔操作のシーケンス図である。
【図８】第２の実施形態における遠隔操作を行うフローチャートである。
【発明を実施するための形態】
【００１１】
以下に、本発明を実施するための好ましい形態について図面を用いて説明する。但し、以下に述べる実施形態には、本発明を実施するために技術的に好ましい限定がされているが、発明の範囲を以下に限定するものではない。
【００１２】
〔第１の実施形態〕次に、本実施形態について図面を参照して詳細に説明する。図１は、本実施形態における携帯端末１（および携帯端末１０１）のブロック図を示している。
【００１３】
〔構成の説明〕本実施形態における携帯端末１は、図１に示すように、記憶部２と、メール送受信部３と、画像照合部４と制御部５を備えている。
【００１４】
図２に示すように、携帯端末１は、ユーザがあらかじめカメラ機能などで写真を撮影し、画像データとして記憶部２に保存する。そして携帯端末１は、画像データを電子メール（以下、メールと記載）の添付ファイルとして遠隔操作対象となる携帯端末１０１に送信する。そして、遠隔操作側の携帯端末１と被遠隔操作側の携帯端末１０１は、上記の画像データを遠隔操作における正当な通信相手である他の通信端末を認証するための認証データとして記憶部２に保存し、お互いに共有している。
【００１５】
本実施形態では、認証データが漏洩した、あるいは漏洩したと思われる場合、カメラ機能など撮影した別の写真や記憶部２に設けている別の画像データを容易に認証データとして変更できる。
【００１６】
例えばユーザが認証データに用いる画像データを変更したい場合、現在の認証データである画像データと認証データとは異なる画像データとを共にメールに添付し、タイトルに「認証データ変更」を示す記載したメールを送信する。するとメールを受信した携帯端末１０１は、メールのタイトルの記載から認証データ変更の指示と認識し、受け取った認証データとは異なる画像データを認証データとして設定し、記憶部２に保存する。
【００１７】
その結果、上記のメールを送信した携帯端末１と上記のメールを受信した携帯端末１０１の制御部５は、互いに変更後の画像データを認証データとして共有し、記憶部２に保存する。なお、認証データの変更を示すメールのタイトルの記載や、認証データの変更方法については、上記に限定されず、両者が認証データの変更を確認できればよい。
【００１８】
なお図２では、認証データとなる画像データを遠隔操作側の携帯端末１で撮影して、被遠隔操作側の携帯端末１０１に送信することで認証データの設定を行っているがこれに限定されない。つまり被遠隔操作側の携帯端末１０１が画像データを撮影して、遠隔操作側の携帯端末１に送信し、両者で認証データとしてお互いに共有してもよい。また画像データの送付はメールに添付するだけでなく赤外線通信などを用いてお互いに共有してもよい。
【００１９】
次に、図１に記載の携帯端末１（および携帯端末１０１）の構成部について、図３のシーケンス図を用いて詳細に説明を行う。
【００２０】
遠隔操作を行う携帯端末１のメール送受信部３は、記憶部２から認証データである画像データを記憶部２から抽出し、メールに添付して遠隔操作対象の携帯端末１０１に送信を行う。ここで遠隔操作用にメールと通常のメールとを区別するために、メールの題名には所定の「遠隔操作用タイトル」を記載する。なお遠隔操作用タイトルは、遠隔操作側の携帯端末１と被遠隔操作側の携帯端末１０１とのあいだで共有されていれば特に限定されず、例えば「remote control」などでもよい。また「遠隔操作用タイトル」は、普段使用しないようなタイトルであることが望ましい。
【００２１】
上記メールの本文には遠隔操作を行う動作コマンドが記載されている。動作コマンドは、例えばダイヤルロックや、データ消去などである。例えば携帯端末１０１を紛失した場合などに、ダイヤルロックやデータ消去を遠隔操作できることで携帯端末１０１からの情報漏えいを防ぐことができる。なおメール本文に記載される動作コマンドについても、遠隔操作側の携帯端末１と被遠隔操作側の携帯端末１０１で共有されていれば、ダイヤルロックをＤＬとして省略して記載してもよい。
【００２２】
被遠隔操作側の携帯端末１０１のメール送受信部３は、メールを受信すると題名から通常のメールであるか、遠隔操作用のメールであるか判別を行う。そしてメールの題名に所定の「遠隔操作用タイトル」が記載されている場合、遠隔操作用メールとして判別する。なお、メールの題名に「遠隔操作用タイトル」が記載されていない場合は、このメールでの遠隔操作は行わず通常のメールとして処理を行う。
【００２３】
画像照合部４は、メール送受信部３が遠隔操作用メールと判断した場合、メールに添付された画像データが記憶部２に保存されている認証データと同一であるか照合を行う。なおメールに添付された画像データと、記憶部に保存されている認証データとが同一でない場合、このメールでの遠隔操作は行わず通常のメールとして処理を行う。
【００２４】
制御部５は、メール送受信部３が受信した画像データと、記憶部２が保存している認証データとが同一である場合、メールの本文に記載されている動作コマンドの実行を行う。例えば、メール本文にダイヤルロックと記載されている場合、被操作側の携帯端末１０１は本文に記載されたダイヤルロックの動作コマンドを実行する。
【００２５】
制御部５は、動作コマンドの実行が完了すると、遠隔操作の履歴を記憶部２に保存する。そして、メール送受信部３は、遠隔操作の動作コマンドが完了したことを、遠隔操作側の携帯端末１にメールにて連絡を行う。なお順番は上記に限らず、制御部５は遠隔操作側の携帯端末１にメールにて連絡を行った後に、記憶部２に実行が完了した動作コマンドを保存してもよい。
【００２６】
また制御部５は、カメラ機能など撮影した別の写真や記憶部２に設けている別の画像データを認証データとして変更することができる。例えば認証データである画像データと、認証データとは異なる画像データとが添付され、タイトルに「認証データ変更」と記載されたメールを受信すると、制御部５は認証データとは異なる画像データを、認証データとして設定し、記憶部２に保存する。なおタイトルの「認証データ変更」という記載は、上記に限定されず、遠隔操作側の携帯端末１と被遠隔操作側の携帯端末１０１で共有されていれば、任意のタイトルでよい。
【００２７】
また上記のメールを送信した携帯端末１の制御部５についても同様に、認証データと異なる画像データを認証データとして設定する。そして携帯端末１と携帯端末２の制御部５はともに、認証データを変更した履歴を記憶部２に保存する。
【００２８】
〔動作の説明〕次に本実施形態における遠隔操作対象の携帯端末１０１の動作について図４のフローチャートに基づいて説明を行う。
【００２９】
まずＳ１において、メール送受信部３はメールを受信すると、Ｓ２に処理を進める。
【００３０】
次にＳ２において、メール送受信部３はメールを受信すると、題名に所定の遠隔操作用タイトルが記載されているか照合を行う。メールの題名に所定の「遠隔操作用タイトル」が記載されている場合、ＹＥＳとしてＳ３に進む。なおメールの題名に「遠隔操作用タイトル」が記載されていない場合、ＮＯとしてＳ１０に進み、今回のメールでは遠隔操作は行わず終了する。
【００３１】
次にＳ３において、画像照合部４は、メールに添付された画像データと、記憶部２に保存している認証データとの照合を行う。メールに添付された画像データと、記憶部２に保存されている認証データとが一致した場合、ＹＥＳとしてＳ４に進む。なお画像データと認証データとが不一致である場合はＮＯとしてＳ１０に進み、今回のメールでの遠隔操作は行われずに終了する。
【００３２】
次にＳ４において、制御部５は本文に記載されているコマンドを実行する。そしてＳ５に処理を進める。
【００３３】
次にＳ５において、遠隔操作を行った動作コマンドを履歴として記憶部２に保存する。そしてＳ６に処理を進める。
【００３４】
次にＳ６において、携帯端末１０１は、遠隔操作を行った携帯端末１に対して遠隔操作のコマンドが完了したと、メールで通知を行い操作を終了する。
【００３５】
〔効果の説明〕次に、本実施形態の効果について説明を行う。
【００３６】
ここで特許文献１に記載されているように、メール題名や本文に記載されたＩＤコードや、またメールアドレスを認証データとした場合を考える。ＩＤコードは、総当りなどにより推測されてしまう可能性がありセキュリティ面で問題がある。
【００３７】
またメールアドレスは容易に変更することができない各携帯端末の固有のものである。そのためメールアドレスが異なる第３者の携帯端末からは、遠隔操作対象の携帯端末１０１に対して遠隔操作を行うことができない。その結果、メールアドレスを認証データとして用いると、遠隔操作の汎用性が低くなってしまうという問題があった。
【００３８】
本実施形態では、携帯端末１と携帯端末１０１とのあいだで、カメラ機能で撮影した画像データを遠隔操作の認証データとして利用している。そのためユーザは、携帯端末のカメラ機能を用いて自由に撮影した写真データを利用することができる。画像データは、天候・周囲の環境などの影響により、１度撮影した画像と全く同一の画像を再度撮影することは困難である。そのため、認証データを画像データとする本実施形態は、ＩＤコードを認証データとする特許文献１と比べて高いセキュリティを維持することができる。また画像データは、メールアドレスのような個人情報ではないので、仮に認証データを変更しても影響はない。
【００３９】
またメールアドレスに比べて画像データは、複数の携帯端末間で画像を共有することができる。そのため画像データを共有している複数の携帯端末間において遠隔操作が必要な携帯端末１０１が発生した場合、画像データを有していればどの携帯端末１からでも遠隔操作を実行することができる。
【００４０】
なお記憶部３は、画像照合部４が認証に使用する写真データを１つ保持すれば良いため、携帯端末１０１の保存領域への負荷を抑えることができる。また本実施形態では、認証データが漏洩した、あるいは漏洩したと思われる場合、カメラで撮影した別の写真や、記憶部２に備えている別の画像データを認証データに変更できるため、セキュアな環境を容易に維持することができる。
【００４１】
また本実施形態における携帯端末１０１は、実行が完了した動作コマンドを、記憶部２に保存する。そのため記憶部２に、遠隔操作を行った履歴を作成することで、ユーザは不正な遠隔操作が行われていないか確認することができる。
【００４２】
つまり万が一、認証情報である画像データなどが気付かないあいだに漏洩した場合、不正に遠隔操作が行われてしまう可能性がある。ユーザは、記憶部２に保存されている履歴を確認することで、知らないメールアドレスから遠隔操作が行われている場合、不正な遠隔操作が行われた可能性があると認識することができる。その結果、ユーザは即座に認証データである画像データを変更するなどの情報漏洩に対する対応を行うことができる。
【００４３】
〔第２の実施形態〕次に、本実施形態について図４を用いて説明する。図５は、本実施形態のブロック図である。
【００４４】
〔構成の説明〕本実施形態における携帯端末１は、図５に示すように、第１の実施形態と異なる点は、動作照合部６を備えている点である。それ以外の構成・接続関係は、第１の実施形態と同様である。つまり、第２の実施形態の携帯端末１は、記憶部２と、メール送受信部３と、画像照合部４と、制御部５を備えている。
【００４５】
本実施形態では、遠隔操作側の携帯端末１と被遠隔操作側の携帯端末１０１との間で、画像データを認証データとして保存しているたけでなく、動作コマンドも対応づけている。つまり遠隔操作を行う動作コマンドが例えば「ダイヤルロック」、「データ消去」、「ＧＰＳ機能」など３種類ある場合は、各動作コマンドに対応した３種類の画像データをそれぞれ記憶部２に保存している。
【００４６】
図６に示すように、あらかじめ携帯端末１は各動作コマンドと対応した複数の画像データをメールに添付して遠隔操作対象の携帯端末１０１に送信する。そして遠隔操作側の携帯端末１と被遠隔操作側の携帯端末１０１は、各動作コマンドと対応した複数の画像データを、認証用データだけでなく動作用データとして共有して、記憶部２にお互いに保存している。
【００４７】
次に、図５に記載の本実施形態の携帯端末１（および携帯端末１０１）の各構成部について、図７のシーケンス図を用いて詳細に説明を行う。
【００４８】
遠隔操作を行う携帯端末１のメール送受信部３は、認証データと所望の動作コマンドに対応した画像データを記憶部２から抽出し、メールに添付して遠隔操作対象の携帯端末１０１に送信を行う。なお第１の実施形態と異なり、本実施形態ではメール本文に遠隔操作の動作コマンドに関連する記載を行う必要はない。なお遠隔操作用にメールと通常のメールとを区別するために、メールの題名には所定の「遠隔操作用タイトル」を記載する。
【００４９】
非遠隔操作側の携帯端末１０１のメール送受信部３は、メールを受信すると題名から通常のメールであるか、遠隔操作用のメールであるか判別を行う。そしてメールの題名に所定の「遠隔操作用タイトル」が記載されている場合、遠隔操作用メールとして判別する。なお、メールの題名に「遠隔操作用タイトル」が記載されていない場合は、このメールでの遠隔操作は行わず通常のメールとして処理を行う。
【００５０】
画像照合部４は、メールに添付された画像データが記憶部２に保存されている認証データと同一であるか照合を行う。なおメールに添付された画像データと、記憶部２に保存されている認証データとが同一でない場合、今回のメールでの遠隔操作は行われない。
【００５１】
動作照合部６は、メールに添付された画像データと対応した動作コマンドを記憶部２から照合する。なお本実施形態では、メールに添付された画像データには「ダイヤルロック」の動作コマンドが関連付けられているが、これに限定されない。
【００５２】
制御部５は、画像データと対応した動作コマンドの実行を行う。なお図６では、画像データがダイヤルロックと対応づけられているため、被操作側の携帯端末１０１はダイヤルロックの動作コマンドを実行する。
【００５３】
制御部５は、動作コマンドの実行が完了すると、遠隔操作の履歴を記憶部２に保存する。そして、メール送受信部３は、遠隔操作のコマンドが完了したことを、遠隔操作側の携帯端末１にメールにて連絡を行う。
【００５４】
〔動作の説明〕次に本実施形態における遠隔操作対象の携帯端末１０１の動作について図８のフローチャートに基づいて説明を行う。
【００５５】
まずＳ１１において、メール送受信部３はメールを受信すると、Ｓ１２に処理を進める。
【００５６】
次にＳ１２において、メール送受信部３はメールの題名に所定の「遠隔操作用タイトル」が記載されているか照合を行う。メールの題名に遠隔操作用タイトルが記載されている場合、ＹＥＳとしてＳ１３に進む。なおメールの題名に遠隔操作用タイトルが記載されていない場合、ＮＯとしてＳ１０に進み、今回のメールでは遠隔操作は行われず終了する。
【００５７】
次にＳ１３において、画像照合部４は、メールに添付された画像データと、記憶部２に保存している認証データとの照合を行う。メールに添付された画像データと、記憶部２に保存されている認証データとが一致した場合、ＹＥＳとしてＳ１４に進む。なお画像データと認証データとが不一致である場合、ＮＯとしてＳ１０に進み、今回のメールでの遠隔操作は行われずに終了する。
【００５８】
次にＳ１４において、動作照合部６は、メールに添付された画像データがどの動作コマンドに対応した画像であるか照合を行う。そして画像データと対応した動作コマンドを照合すると、Ｓ１５に処理をすすめる。
【００５９】
次にＳ１５において、制御部５は画像データと対応した動作コマンドの実行を行う。そして次にＳ１６に処理をすすめる
なお、例えば記憶部２においてダイヤルロックと関連づけられた画像データがメールに添付されていた場合、非遠隔操作側の携帯端末１０１にダイヤルロックを実行する。またデータ消去、ＧＰＳ機能に対応した画像がメールに添付されている場合は、それぞれデータ消去や、ＧＰＳ機能などを実行する。
【００６０】
次にＳ１６において、制御部５は遠隔操作を行った動作コマンドを履歴として記憶部２に保存する。そしてＳ１７に処理を進める。
【００６１】
次にＳ１７において、携帯端末１０１は、遠隔操作を行った携帯端末１に対して遠隔操作のコマンドが完了したと、メールで通知を行い操作を終了する。
【００６２】
〔効果の説明〕次に本実施形態における効果の説明を行う。
【００６３】
遠隔操作側の携帯端末１と被遠隔操作側の携帯端末１０１との間で、認証用データとして画像データを共有していたとしても、実行するコマンドを本文に記載すると第３者に見られてしまう可能性があった。
【００６４】
つまり被遠隔操作側の携帯端末１０１を紛失し、第３者に拾われてしまった場合、遠隔操作用のメールの本文の記載からどのようなコマンドが行われるか、知られてしまう。その結果、第３者にメール本文を見られた場合、データ消去を完了する前に、遠隔操作を妨害されてデータが漏洩してしまう可能性があった。
【００６５】
そこで本実施形態では、本文にコマンドは記載せず、認証データに加えて、動作コマンドを対応づけた画像データをメールに添付する。そのため第３者が紛失した携帯端末１０１を拾って遠隔操作のメールを見たとしても、メール本文には具体的な記載がないので、実際にはどのような遠隔操作が行われるかを知ることはできない。その結果、よりセキュリティの高い環境を実現することができる。
【００６６】
なお本実施形態では、それぞれの画像データに対して、認証用と各動作コマンドの２つの機能を対応づけていた。そのため、遠隔操作を許可される認証用データとして扱われる画像データは、動作コマンドの数だけ複数存在していた。
【００６７】
そこで認証データとしての画像データを１つに固定し、別に各動作コマンドに対応した画像データを記憶部２に保存してもよい。つまり認証用の画像データと、動作コマンド用の画像データとを別々に設け、それぞれの画像データをメールに添付して遠隔操作を行ってもよい。そのためメールには、少なくとも２つの画像データをメールに添付する必要はあるが、遠隔操作の実行を許可する認証用データを１つに固定することができるため、より高いセキュリティ環境を維持することができる。
【００６８】
また認証が正常に行われ、動作コマンド用の画像データと一致する画像データが記憶部２に存在した場合、動作照合部６は対応する動作コマンドを記憶部２から照合する。そして制御部５は、照合された動作コマンドに従って遠隔操作を行う。
【００６９】
一方、認証データを複数の画像データで構成してもよい。例えば、認証データである画像データを1枚添付したときはＧＰＳ機能、2枚添付したときはダイヤルロック、3枚添付したときはデータ消去を行うなど設定してもよい。この場合、認証データである複数の画像データは、同じ画像データでも、全て互いに異なる画像データでもよい。
【００７０】
なお動作コマンドの送信を行う端末１は、携帯端末に限らずパーソナルコンピューターなどの通信端末でもよい。
【００７１】
上記の実施形態の一部、または全部は以下の付記のように記載されるが、以下に限らない。
【００７２】
〔付記１〕
正当な通信相手である他の通信端末を認証するための認証データを記憶する記憶部と、
画像データが添付された電子メールの受信を行うメール受信部と、
受信した前記画像データと、前記記憶部が記憶する前記認証データとの照合を行う画像照合部と、
前記画像データが前記認証データと一致した場合に、前記電子メールが備える情報に基づいて動作コマンドを実行する制御部とを備え、
前記制御部は、必要に応じて前記認証データを変更することを特徴とする携帯端末。
【００７３】
〔付記２〕
前記制御部は、前記電子メールの本文に記載された情報に基づいて、動作コマンドを実行することを特徴とする付記１に記載の携帯端末。
【００７４】
〔付記３〕
前記画像データと対応する動作コマンドを前記記憶部から照合する動作照合部を備え、
前記記憶部は、前記画像データに対応する動作コマンドを記憶しており、
前記制御部は、前記動作照合部が照合した前記動作コマンドを実行することを特徴とする付記1乃至２に記載の携帯端末。
【００７５】
〔付記４〕
前記記憶部は、前記認証データと対応する第１の画像データと、前記動作コマンドと対応し前記第１の画像データとは異なる第２の画像データを記憶しており、
受信した複数の画像データが前記第１、第２の画像データと一致した場合、前記動作照合部は、前記第２の画像データに対応する動作コマンドを前記記憶部から照合し、
前記制御部は、前記動作照合部が照合した前記動作コマンドを実行することを特徴とする付記３に記載の携帯端末。
【００７６】
〔付記５〕
前記記憶部は、前記認証データと対応し互いに異なる複数の画像データ及び前記画像データの枚数に対応する前記動作コマンドを記憶しており、
受信した画像データが前記画像データと一致した場合、動作照合部は、受信した画像データの枚数に基づいて対応する動作コマンドを前記記憶部から照合し、
前記制御部は、前記動作照合部が照合した前記動作コマンドを実行することを特徴とする付記３に記載の携帯端末。
【００７７】
〔付記６〕
前記記憶部には、前記認証データと対応する第１の画像データを記憶し、
受信した複数の画像データの一つが前記第１画像データと一致した場合に、前記電子メールが備える情報に基づいて、前記複数の画像データの残りの画像データを前記第１の画像データに代えて認証データとすることを特徴とする付記１に記載の携帯端末。
【００７８】
〔付記７〕
前記メール受信部は、前記電子メールの題名に遠隔操作用タイトルが記載されているか照合を行い、
前記電子メールの題名に前記遠隔操作用タイトルが記載されている場合に、前記画像照合部が前記画像データと前記認証データとの照合を行うことを特徴とする付記1乃至６に記載の携帯端末。
【００７９】
〔付記８〕
前記制御部は、前記動作コマンドの実行が完了すると、実行した前記動作コマンドを前記記憶部に保存することを特徴とする付記１乃至７に記載の携帯端末。
【００８０】
〔付記９〕
前記制御部は、前記動作コマンドの実行が完了すると、前記動作コマンドが完了したことを電子メールにて、遠隔操作を行った携帯端末に送信することを特徴とする付記1乃至８に記載の携帯端末。
【００８１】
〔付記１０〕
前記画像データはユーザが撮影した写真であることを特徴とする付記１乃至９に記載の携帯端末。
【００８２】
〔付記１１〕
前記動作コマンドは、遠隔操作コマンドであることを特徴とする付記１乃至１０に記載の携帯端末。
【００８３】
〔付記１２〕
正当な通信相手である他の通信端末を認証するための認証データを記憶し、
画像データが添付された電子メールの受信すると
受信した前記画像データと、前記記憶部が記憶する前記認証データとの照合を行い、
前記画像データが前記認証データと一致した場合に、前記電子メールが備える情報に基づいて動作コマンドを実行し、
必要に応じて認証データを変更することを特徴とする携帯端末の操作方法。
【００８４】
〔付記１３〕
前記電子メールの本文に記載された情報に基づいて、前記動作コマンドを実行することを特徴とする付記１２に記載の携帯端末の操作方法。
【００８５】
〔付記１４〕
前記画像データと対応する動作コマンドを照合し、
照合した前記動作コマンドを実行することを特徴とする付記１２に記載の携帯端末の操作方法。
【００８６】
〔付記１５〕
前記電子メールの題名に遠隔操作用タイトルが記載されているか照合を行い、
前記電子メールの題名に前記遠隔操作用タイトルが記載れている場合に、前記画像データと前記認証データとの照合を行うことを特徴とする付記１１乃至１４に記載の携帯端末の操作方法。
【００８７】
〔付記１６〕
前記動作コマンドは、遠隔操作コマンドであることを特徴とする付記１１乃至１５に記載の携帯端末の操作方法。
【符号の説明】
【００８８】
１    携帯端末
２    記憶部
３    メール送受信部
４    画像照合部
５    制御部
６    動作照合部
１０１  携帯端末
【図１】
2012191470.tif 000003
【図２】
2012191470.tif 000004
【図３】
2012191470.tif 000005
【図４】
2012191470.tif 000006
【図５】
2012191470.tif 000007
【図６】
2012191470.tif 000008
【図７】
2012191470.tif 000009
【図８】
2012191470.tif 000010